(57)【要約】改善された触覚特性を有する加工不織布が提供される。加工不織布を含む製品もまた提供される。加工不織布を作製する方法が提供される。【特許請求の範囲】
【請求項１】
触覚特性を改善するために適切な量の機能的添加剤を含有する不織布を含む、改善された触覚特性を有する加工不織布であって、前記機能的添加剤は、添加剤Ａ、添加剤Ｂ、添加剤Ｃ、添加剤Ｄ、添加剤Ｅ、添加剤Ｆ、添加剤Ｇ、添加剤Ｈ（それぞれが表１の２列目および３列目に記載されている）、添加剤ＧおよびＦの混合剤（「添加剤ＢＡ」）、添加剤ＦおよびＢの混合剤（「添加剤ＢＢ」）、および添加剤ＦおよびＨの混合剤（「添加剤ＢＣ」）から成る群から選択されることを特徴とする加工不織布。
【請求項２】
前記不織布は、ポリエステル、ポリアミド、およびポリオレフィンから成る群から選択されるプラスチックを含む、請求項１に記載の加工不織布。
【請求項３】
前記不織布は、ポリプロピレンおよびポリエチレンから成る群から選択されるポリオレフィンを含む、請求項２に記載の加工不織布。
【請求項４】
前記不織布はポリエステルを含み、前記ポリエステルはポリラクチドである、請求項２に記載の加工不織布。
【請求項５】
前記機能的添加剤は、実質的に前記布の表面上に存在し、且つ任意に前記布の表面上に存在する間隙中に存在する、請求項１に記載の加工不織布。
【請求項６】
前記布には、部分的にまたは全体的に前記機能的添加剤が含浸されている、請求項１に記載の加工不織布。
【請求項７】
前記機能的添加剤は添加剤Ａであり、前記不織布は、ｉ）不織布１平方メートル当たり約０．００７〜約０．０５４ｇの添加剤Ａ、またはｉｉ）約０．０５〜約０．０４０重量％の添加剤Ａ（乾燥未加工布の重量に対して）を含む、請求項１〜６のいずれか１項に記載の加工不織布。
【請求項８】
前記機能的添加剤は添加剤Ｂであり、前記不織布は、ｉ）不織布１平方メートル当たり約０．０９５〜約０．１３５ｇの添加剤Ｂ、またはｉｉ）約０．７０〜約１．０重量％の添加剤Ｂ（乾燥未加工布の重量に対して）を含む、請求項１〜６のいずれか１項に記載の加工不織布。
【請求項９】
前記機能的添加剤は添加剤Ｃであり、前記不織布は、ｉ）不織布１平方メートル当たり約０．０６８〜約０．１３５ｇの添加剤Ｃ、またはｉｉ）約０．５０〜約１．０重量％の添加剤Ｃ（乾燥未加工布の重量に対して）を含む、請求項１〜６のいずれか１項に記載の加工不織布。
【請求項１０】
前記機能的添加剤は添加剤Ｄであり、前記不織布は、ｉ）不織布１平方メートル当たり約０．０８１〜約０．１３５ｇの添加剤Ｄ、またはｉｉ）約０．６０〜約１．０重量％の添加剤Ｄ（乾燥未加工布の重量に対して）を含む、請求項１〜６のいずれか１項に記載の加工不織布。
【請求項１１】
前記機能的添加剤は添加剤Ｅであり、前記不織布は、ｉ）不織布１平方メートル当たり約０．０８１〜約０．１３５ｇの添加剤Ｅ、またはｉｉ）約０．６０〜約１．０重量％の添加剤Ｅ（乾燥未加工布の重量に対して）を含む、請求項１〜６のいずれか１項に記載の加工不織布。
【請求項１２】
前記機能的添加剤は添加剤Ｆであり、前記不織布は、ｉ）不織布１平方メートル当たり約０．２０３〜約０．３２４ｇの添加剤Ｆ、またはｉｉ）約１．５〜約２．４重量％の添加剤Ｆ（乾燥未加工布の重量に対して）を含む、請求項１〜６のいずれか１項に記載の加工不織布。
【請求項１３】
前記機能的添加剤は添加剤Ｇであり、前記不織布は、ｉ）不織布１平方メートル当たり約０．３５１３〜約０．３７８ｇの添加剤Ｇ、またはｉｉ）約２．６〜約２．８４重量％の添加剤Ｇ（乾燥未加工布の重量に対して）を含む、請求項１〜６のいずれか１項に記載の加工不織布。
【請求項１４】
前記機能的添加剤は添加剤Ｈであり、前記不織布は、ｉ）不織布１平方メートル当たり約０．２３０〜約０．２７０ｇの添加剤Ｈ、またはｉｉ）約１．７〜約２．０重量％の添加剤Ｈ（乾燥未加工布の重量に対して）を含む、請求項１〜６のいずれか１項に記載の加工不織布。
【請求項１５】
前記機能的添加剤は混合剤ＢＡであり、添加剤Ｆに対する添加剤Ｇの比率は約１：１である、請求項１〜６のいずれか１項に記載の加工不織布。
【請求項１６】
前記機能的添加剤は混合剤ＢＢであり、添加剤Ｂに対する添加剤Ｆの比率は約１０：３である、請求項１〜６のいずれか１項に記載の加工不織布。
【請求項１７】
前記機能的添加剤は混合剤ＢＣであり、添加剤Ｈに対する添加剤Ｆの比率は約１：１である、請求項１〜６のいずれか１項に記載の加工不織布。
【請求項１８】
皮膚に接触する不織布を含む、皮膚に接触して用いられる不織製品であって、前記不織布は、請求項１〜１７のいずれか１項に記載の前記加工不織布である、不織製品。
【請求項１９】
前記製品は、おむつ、成人失禁用製品、女性用衛生製品、およびふき取り繊維から成る群から選択される、請求項１８に記載の不織製品。
【請求項２０】
改善された触覚特性を有する加工不織布を製造する方法であって、
不織布の表面に機能的添加剤を含む水性表面改良組成物を接触させる工程、及び
前記接触した表面を乾燥して前記加工不織布を作製する工程、を含み、
前記機能的添加剤は、添加剤Ａ、添加剤Ｂ、添加剤Ｃ、添加剤Ｄ、添加剤Ｅ、添加剤Ｆ、添加剤Ｇ、および添加剤Ｈ，（それぞれが表１の列２および３に記載される）、添加剤ＧおよびＦの混合剤（「添加剤ＢＡ」）、添加剤ＦおよびＢの混合剤（「添加剤ＢＢ」）、および添加剤ＦおよびＨの混合剤（「添加剤ＢＣ」）からなる群から選択され、
前記加工不織布は、触覚特性を改善させるために適切な量の前記機能的添加剤を含む、ことを特徴とする製造方法。
【請求項２１】
前記不織布の前記表面を接触させる工程は、前記表面に機能的添加剤を含む前記水性表面改良組成物を噴霧する工程を含む、請求項２０に記載の方法。
【請求項２２】
前記不織布は、ポリエステル、ポリアミド、およびポリオレフィンから成る群から選択されるプラスチックを含む、請求項２０に記載の方法。
【請求項２３】
前記不織布は、ポリプロピレンおよびポリエチレンから成る群から選択されるポリオレフィンを含む、請求項２２に記載の方法。
【請求項２４】
前記不織布は、ポリエステルを含み、前記ポリエステルはポリラクチドである、請求項２２に記載の方法。
【発明の詳細な説明】
【背景技術】
【０００１】
以下の背景の検討において、特定の構造および／または方法に対する参照がなされる。しかしながら、以下の参照は、これらの構造および／または方法が従来技術を構成するという承認として解釈されるべきでない。出願人は、かかる構造および／または方法が従来技術と見なされないことを明示する権利を明確に有する。
【０００２】
不織布を含む製品または皮膚と接触することが意図される材料は、当技術分野において既知である。かかる製品は、おむつ、成人失禁用パッドまたはブリーフ、女性用衛生製品（例えば、生理用ナプキン）、包帯、および同等物などの吸収性製品を含む。パーソナルケア用および家庭用ふき取り繊維もまた典型的に不織布で作られている。不織布との長時間の皮膚接触は、例えば不織布との接触による刺激に起因する不快感をもたらし得る。
【０００３】
当技術分野において、不織表面が改善された触覚特性を有するふき取り繊維、おむつ、成人失禁用製品、および女性用衛生製品などの、皮膚と接触することが意図される不織表面を含む製品についての現在進行中の満たされていない要求が存在する。本開示はこの要求に対処するものである。
【発明の概要】
【０００４】
以下の概要は、広範囲な概観ではない。種々の実施形態の主要なまたは重要な要素を特定することも意図されず、またそれらの範囲を描出することも意図されない。
【０００５】
改善された触覚特性を有する加工不織布が提供される。加工不織布は、触覚特性を改善するために適切な量の機能的添加剤を含む不織布を含む。皮膚に接触して用いられる不織製品もまた提供され、この製品は、皮膚に接触する不織布を含む。不織布は、改善された触覚特性を有する加工不織布である。例示的な不織製品は、おむつ、成人失禁用製品、女性用衛生製品、およびふき取り繊維である。改善された触覚特性を有する加工不織布を製造するための方法もまた提供される。本方法は、不織布の表面を、機能的添加剤を含む水性表面改良組成物に接触させるステップと、接触した表面を乾燥して加工不織布を産生するステップを含む。表面を接触させることは、噴霧、はけ塗り、回転、浸漬、または表面改良組成物を不織布表面に塗布する他の方法を含む。
【０００６】
機能的添加剤は、添加剤Ａ、添加剤Ｂ、添加剤Ｃ、添加剤Ｄ、添加剤Ｅ、添加剤Ｆ、添加剤Ｇ、添加剤Ｈ（それぞれが表１の列２および３に記載される）、添加剤ＧおよびＦの混合剤（「添加剤ＢＡ」）、添加剤ＦおよびＢの混合剤（「添加剤ＢＢ」）、ならびに添加剤ＦおよびＨの混合剤（「添加剤ＢＣ」）から成る群から選択される。不織布は、ポリエステル、ポリアミド、およびポリオレフィンから成る群から選択されるプラスチックを含み得る。例示的なポリオレフィンは、ポリプロピレンおよびポリエチレンである。例示的なポリエステルは、ポリラクチドである。
【０００７】
一実施形態において、機能的添加剤は、実質的に不織布の表面上に、および任意選択で布の表面上に存在する間隙の中に存在し得る。別の実施形態において、不織布には、部分的にまたは全体的に機能的添加剤が含浸されている。
【０００８】
一実施形態において、不織布上の機能的添加剤は添加剤Ａであり、不織布は、ｉ）不織布１平方メートル当たり約０．００７〜約０．０５４ｇの添加剤Ａ、またはｉｉ）約０．０５〜約０．０４０重量％の添加剤Ａ（乾燥未加工布の重量に対して）を含む。
【０００９】
別の実施形態において、不織布上の機能的添加剤は添加剤Ｂであり、不織布は、ｉ）不織布１平方メートル当たり約０．０９５〜約０．１３５ｇの添加剤Ｂ、またはｉｉ）約０．７０〜約１．０重量％の添加剤Ｂ（乾燥未加工布の重量に対して）を含む。
【００１０】
別の実施形態において、不織布上の機能的添加剤は添加剤Ｃであり、不織布は、ｉ）不織布１平方メートル当たり約０．０６８〜約０．１３５ｇの添加剤Ｃ、またはｉｉ）約０．５０〜約１．０重量％の添加剤Ｃ（乾燥未加工布の重量に対して）を含む。
【００１１】
別の実施形態において、不織布上の機能的添加剤は添加剤Ｄであり、不織布は、ｉ）不織布１平方メートル当たり約０．０８１〜約０．１３５ｇの添加剤Ｄ、またはｉｉ）約０．６０〜約１．０重量％の添加剤Ｄ（乾燥未加工布の重量に対して）を含む。
【００１２】
別の実施形態において、不織布上の機能的添加剤は添加剤Ｅであり、不織布は、ｉ）不織布１平方メートル当たり約０．０８１〜約０．１３５ｇの添加剤Ｅ、またはｉｉ）約０．６０〜約１．０重量％の添加剤Ｅ（乾燥未加工布の重量に対して）を含む。
【００１３】
また別の実施形態において、不織布上の機能的添加剤は添加剤Ｆであり、不織布は、ｉ）不織布１平方メートル当たり約０．２０３〜約０．３２４ｇの添加剤Ｆ、またはｉｉ）約１．５〜約２．４重量％の添加剤Ｆ（乾燥未加工布の重量に対して）を含む。
【００１４】
別の実施形態において、不織布上の機能的添加剤は添加剤Ｇであり、不織布は、ｉ）不織布１平方メートル当たり約０．３５１３〜約０．３７８ｇの添加剤Ｇ、またはｉｉ）約２．６〜約２．８４重量％の添加剤Ｇ（乾燥未加工布の重量に対して）を含む。
【００１５】
別の実施形態において、不織布上の機能的添加剤は添加剤Ｈであり、不織布は、ｉ）不織布１平方メートル当たり約０．２３０〜約０．２７０ｇの添加剤Ｈ、またはｉｉ）約１．７〜約２．０重量％の添加剤Ｈ（乾燥未加工布の重量に対して）を含む。
【００１６】
また別の実施形態において、不織布上の機能的添加剤は混合剤ＢＡであり、添加剤Ｇと添加剤Ｆとの比率は約１：１である。
【００１７】
別の実施形態において、不織布上の機能的添加剤は混合剤ＢＢであり、添加剤Ｆと添加剤Ｂとの比率は約１０：３である。
【００１８】
別の実施形態において、不織布上の機能的添加剤は混合剤ＢＣであり、添加剤Ｆと添加剤Ｈとの比率は約１：１である。
【図面の簡単な説明】
【００１９】
種々の組成物および方法を説明することを目的として、図面に特定の実施形態が描写される。しかしながら、組成物およびそれらの使用方法は、図面に描写された実施形態の正確な配置および手段に限定されない。
【００２０】
図面は、一連の加工不織布試料を官能評価（柔らかさ／滑らかさ）に関して対照群（未加工不織布試料）と比較した一対比較を描写する図表である。加工に使用される製品は、関連データの隣に記載される。不織布試料上の製品の重量パーセントは、括弧内に示される。回答者（ｎ＝３）は、それぞれの試験試料を、０を対照群に類似するとし、対照群に対して−１を「非常に悪い」とし、＋１を「非常に良い」とするように、−１から１で採点するように求められ、−０．５および＋０．５は、対照群に対して「わずかに悪い」および「わずかに良い」を区別するために用いられた。黒い符号は、ウィルコクソン検定、Ｐ値≧０．１である。白い符号は、ゼロ値＞０．６６６６７に向かう下限９０％の信頼値（ｌ．ｃ．ｂ．）である。
【００２１】
説明
開示される方法および組成物に対して本開示において想定される場合、一態様において、本開示の実施形態は、そこに開示される化学成分および／またはステップを含む。別の態様において、本開示の実施形態は、本質的にそこに開示される化学成分および／またはステップから成る。また別の態様において、本開示の実施形態は、そこに開示される化学成分および／またはステップから成る。
【００２２】
当技術分野において、改善された触覚特性を有する不織布および不織布を有する製品に対する要求が存在する。本明細書において、改善された触覚特性を有する加工不織布、加工不織布を含む製品、およびこれらの要求を満たす加工不織布を製造する方法が提供される。
【００２３】
定義
本明細書において用いられる場合、以下の用語のそれぞれが、本項においてその用語に関連付けられる意味を有する。
【００２４】
本明細書において、冠詞「ａ（１つの）」および「ａｎ（１つの）」は、冠詞の文法的目的語の１つまたは２つ以上（すなわち、少なくとも１つ）を指すために用いられる。例として、「１つの要素」は、１つの要素または２つ以上の要素を意味する。
【００２５】
「約」という用語は、当業者によって理解され、用いられる文脈によってある程度異なる。本明細書において用いられる場合、「約」は、±２０％、より好ましくは±１０％、より好ましくは±５％、さらにより好ましくは±１％、なおより好ましくは±０．１％のばらつきを包含することが意味される。
【００２６】
本明細書において用いられる場合、「織物」とは概して、二次元的特徴を有する材料、すなわち材料の長さおよび幅が厚さよりもずっと大きい材料を指す。布の表面は概して、本明細書において用いられる場合、長さおよび幅の寸法によって定義される。
【００２７】
本明細書において用いられる場合、「不織」布または材料は、織りによって両面織りとされていない繊維を両面織りにすることから組み合わされる織物または材料を指す。不織布は典型的にプラスチック樹脂でできている。プラスチック樹脂の繊維は、機械的、化学的、および／または熱的方法によって組み合わされ、不織布を形成する。不織布または材料を製造する例示的な方法は、メルトブローイング法、スピンボンディング法、エアレイ法、およびスパンレース法を含む。
【００２８】
本明細書において用いられる場合、「不織製品」とは、不織表面を含む製品を指す。製品は、不織布／材料から成り得、または製品は、不織表面、例えば不織布を、製品の外表面の一部として、またはすべてに含み得る。例示的な不織製品は、おむつ、成人失禁用製品、女性用衛生製品、および赤ちゃん用ふき取り繊維などのふき取り繊維を含むがこれらに限定されない。
【００２９】
本明細書において用いられる場合、「機能的添加剤」とは、添加され、コーティングされ、噴霧され、はけ塗りされ、および／または別様に不織布／材料に塗布されると、新規の特性をもたらし、不織布／材料の既存の望ましい特性を改善し、および／または既存の望ましくない特性を低減する合成物または合成物の組成を指す。
【００３０】
本明細書において用いられる場合、「表面改良組成物」とは、機能的添加剤を含むか、または機能的添加剤から成る組成物を指す。
【００３１】
本明細書において用いられる場合、「表面改良組成物で加工された」表面は、表面改良組成物が添加され、コーティングされ、噴霧され、はけ塗りされ、および／または別様に表面に塗布されている。
【００３２】
本明細書において用いられる場合、「加工不織製品」とは、不織表面が表面改良組成物で加工された不織製品を指す。
【００３３】
本明細書において用いられる場合、「触覚特性」とは、感触によって感知される特性を指す。例示的な触覚特性は、柔らかさおよび滑らかさを含むがこれらに限定されない。
【００３４】
本明細書において用いられる場合、加工不織製品の「改善された触覚特性」とは、対応する未加工の不織製品に対してより良いと審査される触覚特性を指す。改善は、新規の特性の導入、未加工不織布／材料の既存の望ましい特性の改善、および／または既存の望ましくない特性の低減であり得る。審査は、定性的または定量的であり得る。当該技術分野において一般的に使用されている触覚特性を審査する方法は、当業者には既知である。例示的であって制限的でない方法が実施例に記載される。
【００３５】
本明細書に記載のあらゆる範囲の間にあるすべての全体または部分的な整数が本明細書に含まれることが理解されるものとする。
【００３６】
詳細な説明
改善された触覚特性を有する加工不織布が提供される。加工不織製品もまた提供される。加工不織製品は、不織布表面を含む不織製品を含み、不織布表面は、機能的添加剤を含む。機能的添加剤は、コーティングとして実質的に表面のみに存在し得る。任意選択で、表面コーティングはまた、表面上に存在し得る間隙の中に部分的に存在する機能的添加剤をも含み得る。代替的に、不織布には機能的添加剤が含浸され得、ゆえに表面上の機能的添加剤に加え、布の厚さのかなりの深さまで機能的添加剤を含み得る。この含浸は、布の厚さの一部または全部にわたり得る。本明細書において用いられる場合、「不織の表面に接触」という語句は、別様に規定されない限り、これらの実施形態のすべてを包含する。
【００３７】
機能的添加剤は、実質的に不織二次元表面の全体に存在し得、または、不織二次元表面のほんの一部のみに存在し得る。例えば、不織表面の一部のみが皮膚と接触することが意図される製品において、機能的添加剤は、実質的に皮膚と接触することが意図される不織表面部分上および／または不織表面部分内のみに存在し得る。不織布は、二次元表面の片面または両面に機能的添加剤を含み得る。不織布の二次元表面の両面が機能的添加剤を含む場合、添加剤は、両表面で同一であり得、または異なり得る。
【００３８】
表１は、不織布の触覚特性を改善することが発見された機能的添加剤Ａ〜Ｈの一覧であり、および添加剤の化学成分の説明を提供する。添加剤Ａとする例示的な製品は、商標ＣＯＳＭＥＤＩＡ（登録商標）ＳＰ（ＢＡＳＦ社）として販売されている。添加剤Ｂとする例示的な製品は、商標ＣＯＳＭＥＤＩＡ（登録商標）Ｔｒｉｐｌｅ  Ｃ（ＢＡＳＦ社）として販売されている。添加剤Ｃとする例示的な製品は、商標ＲＨＥＯＣＡＲＥ（登録商標）ＨＳＰ−１１８０（ＢＡＳＦ社）として販売されている。添加剤Ｄとする例示的な製品は、商標ＳＡＬＣＡＲＥ（登録商標）ＳＣ９６（ＢＡＳＦ社）として販売されている。添加剤Ｅとする例示的な分散製品は、商標ＴＩＮＯＶＩＳ（登録商標）ＣＤ（ＢＡＳＦ社）として販売されている。添加剤Ｆとする例示的な製品は、商標ＬＡＭＥＳＯＦＴ（登録商標）ＴＭ  ＢＥＮＺ（ＢＡＳＦ社）として販売されている。添加剤Ｇとする例示的な製品は、商標ＰＬＡＮＴＡＳＩＬ（登録商標）Ｍｉｃｒｏ（ＢＡＳＦ社）として販売されている。添加剤Ｈとする例示的な製品は、アドバンストモイスチャーコンプレックスＷ（ＢＡＳＦ社）という名称で販売されている。これらは例示的な市販の製品であり、それぞれの製品の化学的説明もまた表１に含まれる。
【００３９】
【表１】
2015525310.tif 000002
2015525310.tif 000003
【００４０】
機能的添加剤は、添加され得、噴霧され得、コーティングされ得、はけ塗りされ得、および／または別様に表面改良組成物の形で不織布に塗布され得る。表面改良組成物は、機能的添加剤および水から成り得、または追加的な適合する化学成分を含み得る。本明細書において用いられる場合、「適合する化学成分」とは、表面改良組成物の不織布への塗布に悪影響を及ぼさず、機能的添加剤によってもたらされた改善された触覚特性に悪影響を及ぼさない化学成分である。表面改良組成物は、実質的に水性であり得、またはエマルジョンなどの疎水性または油性の化学成分を含み得る。
【００４１】
表面改良組成物は、約０．０５重量％〜約２．０重量％の範囲の量の機能的添加剤または約０．１重量％〜約１．０重量％の範囲の機能的添加剤を含み得る。表面改良組成物におけるそれぞれの添加剤についての例示的な重量％の範囲は、表２に示される。表面改良組成物は典型的に水性である。水溶性の機能的添加剤について、表面改良組成物は単純混合で製造され得る。部分的にまたは完全に水に不溶性である機能的添加剤について、表面改良組成物は、例えば、エマルジョンの作製に十分な温水および混合装置を用いて作製され得る。
【００４２】
【表２】
2015525310.tif 000004
【００４３】
得られる加工不織布に、適切な量の添加剤を提供するために十分な量の機能的添加剤を含む表面改良組成物が不織表面に塗布され、改善された触覚特性を得る。加工不織布に対するそれぞれの機能的添加剤の適切な量の例示的な範囲が表３に提示される。乾燥未加工不織布に対して適切な量が重量％の機能的添加剤に提供される。代替的に、不織布の表面部位に対する適切な量はまた重量％の機能的添加剤において提供される。それぞれの添加剤についての例示的な適切な量が記載される。
【００４４】
【表３】
2015525310.tif 000005
【００４５】
特定の個々の添加剤の混合剤もまた、不織布の触覚特性を改善することが発見された。混合剤は、３：１０〜１０：３の比率の２つの添加剤を含み得る。比率は１：１であり得る。表４に示される個々の添加剤の混合剤は、不織布の触覚特性を改善するための機能的添加剤として有用である。表４はまた、例示的であるが限定的でない触覚特性を改善するために適切な量の、例示的であるが限定的でない重量％の表面改良組成物中の個々の添加剤をも含む。
【００４６】
【表４】
2015525310.tif 000006
【００４７】
加工不織布を産生するための方法もまた提供される。手短に言えば、開示される方法は、機能的添加剤を含む表面改良組成物に不織布を接触させることを含む。本明細書の他の箇所に記載されるように、不織布表面を接触させることは表面コーティングをもたらし得、表面コーティングは、表面上に存在し得る間隙内への浸透、布の厚さ内の部分含浸、および布の厚さにわたる完全含浸を含む。接触を制御して所望の実施形態を得ることは、当業者による従来技術の範囲内である。機能的添加剤は、当技術分野の任意の方法によって不織布に添加され得る。従来の方法は、噴霧、はけ塗り、浸漬、回転、および同等物を含むがこれらに限定されない。機能的添加剤は、エアレイドまたはスパンレースのライン上などの布の製造中に不織布に添加され得る。代替的に、機能的添加剤は、不織布の製造後、または製造中および製造後の両方に不織布に添加され得る。機能的添加剤は、不織表面を有する製造された製品に、製品の製造後に添加され得る。代替的に、不織布は、不織製品の製造前または不織製品の製造中に、もしくは不織製品の製造前、途中、および後の任意の組み合わせで、表面改良組成物によって加工され得る。
【００４８】
不織布の例示的なプラスチックは、ポリエステル、ポリオレフィン、およびポリアミドを含むがこれらに限定されない。ポリプロピレンおよびポリエチレンは例示的なポリオレフィンである。ポリラクチドは例示的なポリエステルである。ナイロンは例示的なポリアミドである。
【００４９】
皮膚と接触することを意図された不織布を含む表面を有するあらゆる製品は、本開示の機能的添加剤を含み得る。例示的な製品は、家庭用ふき取り繊維、パーソナルケア用ふき取り繊維、および産業用ふき取り繊維などのふき取り繊維である。別の例示的な不織製品はおむつである。典型的なおむつの芯は、赤ちゃんに触れる上面シート、吸収芯、および漏れの保護を提供することを意図した裏面シートで構成される。上面シートは、ポリプロピレン不織布またはポリエチレン不織布などの不織布であり得る。赤ちゃんの皮膚に触れることが意図された上面シートの表面は、本明細書に記載されるように、触覚特性を改善するために機能的添加剤を含む表面改良組成物で加工され得る。任意選択で、裏面シートはまた、機能的添加剤を含む表面改良組成物でも加工され得る。機能的添加剤は、上面シート上のものと同一であり得、または異なり得る。改善された触覚特性は、赤ちゃんの心地よさを向上させ得る。例えば、より柔らかいおよび／またはより滑らかな表面は、皮膚刺激および他の不快な感覚を低減し得る。
【実施例】
【００５０】
製品、組成物、および方法の使用は、以下の実験的実施例を参照することによってより詳細に記載される。これらの実施例は、説明のみを目的として提供され、別様に特定されない限り限定を意図しない。よって、本開示の製品、組成物、および方法は、いかなる様にも以下の実施例に限定するように解釈されるべきでなく、本明細書に提供される教示の結果として明白となるあらゆるおよびすべての変形を包含するように解釈されるべきである。
【００５１】
候補の選定：不織製品について可能性のある機能的添加剤として、２１個の市販の製品が実験用に選定された。２１の組成物（表５に示す）は、頭髪および皮膚用途に対する組成物について、改善された感覚／触覚特性を提供するための組成物の技術的側面および性質に基づいて候補として識別された。これらの２１の組成物の識別に考慮されたパラメータは、組成物の成分、成分の比率、電荷密度、および分子量を含んだ。
【００５２】
【表５】
2015525310.tif 000007
2015525310.tif 000008
【００５３】
候補製品は、以下の手順を用いて試験された。
【００５４】
候補試験液作製：それぞれの製品の水溶性が試験された。次に、それぞれの候補組成物について溶液または分散（以下「試験液」）が水中で作製された。水溶性の候補については、試験液はかくはん子でかくはんプレートの上で５分間混ぜられた。不水溶性または部分的に不水溶性の候補については、試験液は温水（〜６０℃）を用いて作製され、ホモジナイザー（Ｃｕｉｓｉｎａｒｔ（登録商標）ハンドブレンダー型番ＣＳＢ−７６）で２０秒間混合されて水分散液を作製した。分散が２０秒後に完全に混ざっていない場合、追加の混合時間が加えられた。ほとんどの候補について、作製された試験液は概して、例えば１００ｍｌの水または１％溶液を得るために必要な量の水の中で作製された１％溶液であった。しかしながら、いくつかの候補について、細かい噴霧を可能にするには１％試験液の粘度が高すぎたため、試験液は比率を下げた候補製品を有した。候補製品の物理的状態および溶解性、および作製された試験液濃度に関するデータを表６に記載する。
【００５５】
【表６】
2015525310.tif 000009
【００５６】
候補試験試料作製：試験液の作製の直後、試験液は例示的な不織布の４インチｘ８インチ試料の親水面の上に噴霧によって以下のように添加された。
【００５７】
本研究に用いられた例示的な不織布は、ＡＶＧＯＬ  Ｌｔｄによって製造された。不織布は、重量：１平方メートル当たり１３．５グラム（ｇｓｍ）、幅：２０．００ｃｍ、長さ：１１，５００ｒｍｔ、回転面積：２，３００．００ｓｑｍｔ、顧客項目番号：２００５４３３、ＰＲ期日：０５／０１／２０１０、ロット番号２３／１０、およびシャフト番号１、ロール番号３＼１３の仕様を有した。不織材料は紙裁断機を用いて４インチ×８インチの切片に切断された。不織布のぞれぞれの切片の初期重量（「初期布試料重量」）が測定および記録された。
【００５８】
小液滴の水を布試料のそれぞれの面にピペットで置くことにより、それぞれの不織布試料が親水性について試験された。布試料について親水面が確定するとすぐに、布試料はバインダークリップを用いてつるされ、試料の親水面が噴霧器の方向を向くように配向された。Ｐａａｓｃｈｅ社のペインターズ・エアブラシを用いて試験液が試料の親水面に噴霧された。噴霧された試料は次に、試料の湿重量を得るために計量された。それぞれの試験液について２つの複製が作製された。試料の湿重量は、０．０９〜１．２グラムの範囲で得られた。乾燥不織布試料の重量に対する試験液と不織布試料との組み合わせ重量の添加比率は、作製されたすべての試料について、３〜４の間に維持された。
【００５９】
含水加工された不織試料は、時計皿上で一晩空気乾燥された。乾燥すると、それぞれの加工試料の最終乾燥重量が測られた。それぞれの乾燥された加工試料が、密閉されたプラスチックのジップロック袋の中に保存された。不織布試料に塗布された試験製品の量は、製品の重量パーセントとして記録された。
【００６０】
【数１】
2015525310.tif 000010
【００６１】
感覚データ収集：加工不織布試料の知覚評価が回答者ら（３人または４人の個人）によって実施された。官能評価は、未加工不織布と比較して行われた。審査は、掌側前腕上で行われた。掌側前腕とは、腕の手のひら側の、手首と肘との間の皮膚の部位であり、この部位の皮膚は非常に敏感である。掌側前腕に円形にこすることにより、非加工または加工不織布試料が接触された。回答者が加工不織と非加工不織とを視覚的に区別することを防ぐため、回答者は評価中に試料を見ないよう求められた。滑らかさ／柔らかさは、回答者が評価することを求められた感覚特性であった。回答者は、それぞれの試験試料を、０を対照群に類似するとし、対照群に対して−１を「非常に悪い」とし、＋１を「非常に良い」とするように−１から１で採点するように求められ、−０．５および＋０．５は、対照群に対して「わずかに悪い」および「わずかに良い」を区別するために用いられた。試験は室温で行われた。
【００６２】
統計：感覚データを評価するため、それぞれのパラメータについての中央値、ならびにそれぞれのパラメータについての個々の値のばらつきの目安として、中央値からの平均絶対偏差が計算された。一対計算の統計的有意性を計算するため、ウィルコクソン検定が実施された。
【００６３】
２１個の候補製品についての不織試料の重量パーセント製品データおよび感覚データが表７に要約される。
【００６４】
【表７】
2015525310.tif 000011
【００６５】
表７のデータの統計分析が図中の図表に描写される。図表中、符号の位置は中央値を示す。中央値からの平均絶対偏差は、中央値からの重み付き偏差に変わり、図表中に推移線の形で示される。
【００６６】
データは、候補製品の大多数が、未加工不織布と比較して、不織布の触覚特性を改善しなかったか、または触覚特性を悪化させたことを示す。候補製品のすべてが１つには頭髪および皮膚の用途における触覚特性の改善に対する既知の機能のために選択されたため、これらの結果は驚きであった。不織布の触覚特性を改善した候補は、Ｃ１（ＣＯＳＭＥＤＩＡ（登録商標）ＳＰ）、Ｃ２（ＣＯＳＭＥＤＩＡ（登録商標）Ｔｒｉｐｌｅ  Ｃ）、Ｃ５（ＲＨＥＯＣＡＲＥ（登録商標）ＨＳＰ−１１８０）、Ｃ６（ＳＡＬＣＡＲＥ（登録商標）ＳＣ９６）、Ｃ７（ＴＩＮＯＶＩＳ（登録商標）ＣＤ）、Ｃ１０（ＬＡＭＥＳＯＦＴ（登録商標）ＴＭ  ＢＥＮＺ）、およびＣ２０（アドバンストモイスチャーコンプレックスＷ）であった。候補Ｃ１３（ＰＬＡＮＴＡＳＩＬ（登録商標）Ｍｉｃｒｏ）の中央値スコアは０であったが、重み付き偏差はこの組成物もまた不織布の触覚特性を改善することができると示唆している。いくつかの場合において、触覚特性の改善は、試験された２つの重量パーセント製品のうちの１つのみで観察された。具体的には、ＣＯＳＭＥＤＩＡ（登録商標）ＳＰは０．１８重量％で、ＣＯＳＭＥＤＩＡ（登録商標）Ｔｒｉｐｌｅ  Ｃは０．８１重量％で、ＴＩＮＯＶＩＳ（登録商標）ＣＤは０．７７重量％で、ＬＡＭＥＳＯＦＴ（登録商標）ＴＭ  ＢＥＮＺは２．１重量％で、ＰＬＡＮＴＡＳＩＬ（登録商標）Ｍｉｃｒｏは２．６６重量％で、およびアドバンストモイスチャーコンプレックスＷは１．８８重量％で柔らかさ／滑らかさを改善した。ＲＨＥＯＣＡＲＥ（登録商標）ＨＳＰ−１１８０は０．６６重量％および０．７３重量％で触覚特性を改善し、ＳＡＬＣＡＲＥ（登録商標）ＳＣ９６は０．９４重量％および０．８２重量％で不織布の触覚特性を改善した。
【００６７】
候補製品のサブセットの一連の混合剤もまた作製された。混合剤の試験液は、かくはん子およびかくはんプレートを用いて単純混合によって作製された。表８に示されるそれぞれの試験液混合剤について、第１の候補製品が水中で混ぜられ、次に第２の製品が添加されて、最終混合剤において所望の重量％のそれぞれの混合剤を得た。例えば、混合剤Ｂ１は候補Ｃ１３を水中で混ぜ、および次に０．５重量％のＣ１３および０．５重量％のＣ１０から成る試験液混合剤を得るために適切な量の候補Ｃ１０を加えることによって作製された。作製された加工された布試料についての混合剤およびデータの要約が表８に示される。
【００６８】
【表８】
2015525310.tif 000012
2015525310.tif 000013
2015525310.tif 000014
【００６９】
一連の試験液混合剤で加工された不織布試料が作製され２人の個人による回答者によって試験された。混合剤についての感覚データは表９に要約される。
【００７０】
【表９】
2015525310.tif 000015
【００７１】
このデータは、混合剤のうちの３つのみが不織布の触覚特性を改善したことを実証している。その３つの混合剤とは、Ｂ１、Ｂ２、およびＢ５である。これらの混合剤のうち３つすべてが候補Ｃ１３（ＬＡＭＥＳＯＦＴ（登録商標）ＴＭ  ＢＥＮＺ）を含んでいた。
【００７２】
２人の追加の回答者による試験のために、候補製品および混合剤のうちのいくつかの加工不織布試料の追加的な複製が作製された。候補製品は、Ｃ２、Ｃ６、Ｃ７、Ｃ１０、Ｃ１３、およびＣ２０であった。混合剤は、Ｂ１、Ｂ２、およびＢ５であった。官能検査は、５を「もっとも感じが良い」とする１〜５の等級を用いて行われた。２人の回答者は、触覚特性について、ならびにおむつに対して典型的に試験される他の性能パラメータについて試料を採点するよう求められた。加工された不織試料の疎水性／親水性もまた、不織シート上の化学コーティングについて脱イオン水滴浸透試験を用いて審査された（ｎ＝３滴）。手短に言えば、一滴の脱イオン水が約１ｃｍの高さから試料表面に落下された。水滴が不織試料の表面上に１０秒を超えて留まった場合、この表面は疎水性であると見なされる。水滴が不織試料の表面上に３秒未満留まった場合、この表面は親水性であると見なされる。水滴が不織試料の表面上に３秒超かつ１０秒未満留まった場合、淀みと見なされる。水表面張力は室温で約７２ダイン／ｃｍである。データは表１０に提示される。
【００７３】
【表１０】
2015525310.tif 000016
【００７４】
両回答者とも添加剤Ｃ２で加工された不織布試料が評価された９個の試料の中でずば抜けて心地よいとコメントした。
【００７５】
本明細書において言及されるそれぞれのおよびすべての特許、特許出願、および公開の開示は、すべての目的について全体として参照によって本明細書に組み込まれる。
【００７６】
製品、それらを製造する方法、およびそれらの使用方法が特定の実施形態を参照して開示されたが、他の実施形態および変形が記載の製品および方法の真の精神および範囲を逸脱することなく当業者によって考案され得ることは明白である。添付の特許請求の範囲は、すべてのかかる実施形態および同等の変形を含むように解釈されることが意図される。
【図１】
2015525310.tif 000017
【国際調査報告】
2015525310.tif 000018
2015525310.tif 000019
2015525310.tif 000020